(57)【要約】【課題】溜まった塵芥を集塵袋から取り出す作業の作業性に優れたバキューム装置及びバキューム装置用の集塵袋並びに集塵ユニットを提供する。【解決手段】吸い込んだ落ち葉等の塵芥を溜めるための集塵袋３０を備えたバキューム装置であって、集塵袋３０は、塵芥が送り込まれる入口である袋開口部４０に近い側の部分であって通気性を有する筒状の胴部６０と、袋開口部４０から遠い側の部分であって通気性を有していない有底状の袋本体部６１とに区分されて構成されており、袋本体部６１は、外部から内部を視認可能な合成樹脂シートから構成されている。【選択図】図１
2018186926.tif 000002
【特許請求の範囲】
【請求項１】
吸い込んだ落ち葉等の塵芥を溜めるための集塵袋を備えたバキューム装置であって、
集塵袋は、塵芥が送り込まれる入口である袋開口部に近い側の部分であって通気性を有する筒状の胴部と、袋開口部から遠い側の部分であって通気性を有していない有底状の袋本体部とに区分されて構成されていることを特徴とするバキューム装置。
【請求項２】
袋本体部の表面積は胴部の表面積よりも大きい請求項１記載のバキューム装置。
【請求項３】
袋本体部は、外部から内部を視認可能な合成樹脂シートから構成されている請求項１又は２記載のバキューム装置。
【請求項４】
吸い込んだ落ち葉等の塵芥を溜めるためのバキューム装置用の集塵袋であって、
塵芥が送り込まれる入口である袋開口部に近い側の部分であって通気性を有する筒状の胴部と、袋開口部から遠い側の部分であって通気性を有していない有底状の袋本体部とに区分されて構成されていることを特徴とするバキューム装置用の集塵袋。
【請求項５】
吸い込んだ落ち葉等の塵芥が排出されるバキューム本体の排気口に着脱自在に接続されるバキューム装置用の集塵ユニットであって、
塵芥を溜めるための集塵袋と、該集塵袋をバキューム本体に着脱自在に取り付けるための取り付けホルダとを備え、集塵袋の袋開口部が取り付けホルダを介してバキューム本体の排気口に接続される構成であり、
集塵袋は、袋開口部に近い側の部分であって通気性を有する筒状の胴部と、袋開口部から遠い側の部分であって通気性を有していない有底状の袋本体部とに区分されて構成されていることを特徴とするバキューム装置用の集塵ユニット。
【発明の詳細な説明】
【技術分野】
【０００１】
本発明は、落ち葉等の塵芥を吸い込んで集塵袋に溜めるバキューム装置と、バキューム装置用の集塵袋と、バキューム装置用の集塵ユニットに関する。
【背景技術】
【０００２】
例えば下記特許文献１のような電動バキュームでは、ファンの回転によって空気流を発生させて落ち葉等の塵芥を吸引する。吸引した塵芥はバキューム本体の排気口から空気と共に排出され、排気口に接続された集塵袋に溜められる。このような集塵袋は、排気口から送られてくる空気を通過させつつ塵芥のみを濾し取るように溜めるために、従来では、通気性を有する素材である不織布から構成されていた。しかしながら、集塵袋の内部に溜まった塵芥を取り出す際に塵芥が集塵袋の内面に引っ掛かりやすく、塵芥を取り出しにくいという問題があった。また、集塵袋の内面に引っ掛かった塵芥を取り外すために集塵袋を叩く等して衝撃を加えると、細かい粉塵が舞い上がることになって作業環境が悪化する。
【先行技術文献】
【特許文献】
【０００３】
【特許文献１】特開２００１−１９８０５２号公報
【発明の概要】
【発明が解決しようとする課題】
【０００４】
それゆえに本発明は上記従来の問題点に鑑みてなされ、溜まった塵芥を集塵袋から取り出す作業の作業性に優れたバキューム装置及びバキューム装置用の集塵袋並びに集塵ユニットを提供することを課題とする。
【課題を解決するための手段】
【０００５】
本発明は上記課題を解決すべくなされたものであって、本発明に係るバキューム装置は、吸い込んだ落ち葉等の塵芥を溜めるための集塵袋を備えたバキューム装置であって、集塵袋は、塵芥が送り込まれる入口である袋開口部に近い側の部分であって通気性を有する筒状の胴部と、袋開口部から遠い側の部分であって通気性を有していない有底状の袋本体部とに区分されて構成されていることを特徴とする。
【０００６】
該構成のバキューム装置においては、集塵袋に送り込まれる塵芥は、袋開口部から遠い側の部分である袋本体部に溜めることができる。袋本体部は通気性を有していないため、集塵袋から塵芥を取り出す際に、袋本体部の内面に塵芥が引っ掛かりにくい。また、集塵袋に送り込まれる空気は、袋本体部の底部に向かって流れた後に袋開口部側に反転して、袋開口部に近い側の部分である筒状の胴部から外部に排出される。
【０００７】
特に、袋本体部の表面積は胴部の表面積よりも大きいことが好ましく、集塵袋からの塵芥の取り出し作業性がより一層向上する。
【０００８】
また、袋本体部は、外部から内部を視認可能な合成樹脂シートから構成されていることが好ましい。該構成では、集塵袋に溜まった塵芥の貯留量を集塵袋の外部から目視確認できる。また、袋本体部が合成樹脂シートから構成されているので、袋本体部の内面の滑りが良く、塵芥をスムーズに取り出すことができると共に細かい粉塵も容易に取り出すことができる。
【０００９】
また本発明に係るバキューム装置用の集塵袋は、吸い込んだ落ち葉等の塵芥を溜めるためのバキューム装置用の集塵袋であって、塵芥が送り込まれる入口である袋開口部に近い側の部分であって通気性を有する筒状の胴部と、袋開口部から遠い側の部分であって通気性を有していない有底状の袋本体部とに区分されて構成されていることを特徴とする。
【００１０】
また本発明に係るバキューム装置用の集塵ユニットは、吸い込んだ落ち葉等の塵芥が排出されるバキューム本体の排気口に着脱自在に接続されるバキューム装置用の集塵ユニットであって、塵芥を溜めるための集塵袋と、該集塵袋をバキューム本体に着脱自在に取り付けるための取り付けホルダとを備え、集塵袋の袋開口部が取り付けホルダを介してバキューム本体の排気口に接続される構成であり、集塵袋は、袋開口部に近い側の部分であって通気性を有する筒状の胴部と、袋開口部から遠い側の部分であって通気性を有していない有底状の袋本体部とに区分されて構成されていることを特徴とする。
【発明の効果】
【００１１】
以上のように、集塵袋を通気性を有する胴部と通気性を有しない袋本体部とに区分して構成しているので、通気性を確保しつつ、溜まった塵芥を容易に取り出すことができ、塵芥の取り出し作業性に優れている。また細かい粉塵が舞い上がりにくくなり、作業環境も改善される。
【図面の簡単な説明】
【００１２】
【図１】本発明の一実施形態における電動バキュームを示す正面図。
【図２】同電動バキュームの集塵ユニットを取り外した状態を示す正面図。
【図３】同電動バキュームの一部破断線を含む断面図。
【図４】同電動バキュームの集塵ユニットを取り外した状態を示す一部破断線を含む断面図。
【図５】同電動バキュームに用いられている取り付けホルダを示し、（ａ）は平面図、（ｂ）は一部破断線を含む正面図。
【図６】同電動バキュームに用いられている集塵袋を示す正面図。
【図７】（ａ）は図６のＡ矢視図、（ｂ）は図６のＢ−Ｂ断面図。
【図８】本発明の他の実施形態における集塵ユニットを示す正面図。
【発明を実施するための形態】
【００１３】
以下、本発明の一実施形態にかかるバキューム装置としての電動バキュームについて図１〜図８を参酌しつつ説明する。本実施形態の電動バキュームは、落ち葉等の塵芥を吸引、粉砕して集塵袋に集めるバキューム機能（吸い込み機能）の他に、落ち葉等の塵芥を一箇所に集めるためのブロワ機能（吹き寄せ機能）も有しており、電動ブロワバキュームとも称されるものである。電動バキュームは、塵芥を吸い込むための空気流や塵芥に向けて送風するための空気流を発生させるためのファン３を備えていると共に、その空気流が通る空気流路を備えている。
【００１４】
電動バキュームは、吸気口１０と、集塵用の排気口１１と、ブロワ用の排気口１２とを有していて、空気流路は、吸気口１０と二つの排気口１１，１２との間を結んでいる。空気流路の途中にファン３が配置されている。ファン３はモータ４によって駆動され、ファン３が回転することで空気流が発生する。尚、図１〜図４では、モータ４やファン３の回転中心軸が前後方向に水平に延びている状態を図示しており、この状態を基準状態として以下説明する。尚、本実施形態では電源コード６を有する構成であるが、バッテリパックを備えたコードレスの構成であってもよい。
【００１５】
空気流路の途中にファン３が配置されていることから、空気流路は、ファン３よりも上流側の区間とファン３よりも下流側の区間に区分される。空気流路の全長のうちファン３より上流側の区間を吸気側の空気流路１３と称し、空気流路のうちファン３より下流側の区間を排気側の空気流路と称する。吸気口１０からファン３までの区間が吸気側の空気流路１３であり、ファン３から集塵用の排気口１１までの区間、及び、ファン３からブロワ用の排気口１２までの区間が排気側の空気流路である。
【００１６】
排気側の空気流路は途中で二つに分岐していて、その一方は集塵用の排気口１１に向い、他方はブロワ用の排気口１２に向かう。排気側の空気流路の分岐点には切替弁としての切替ドラム５が設けられている。切替ドラム５は左右方向の軸線回りに回転する構成であって、切替ドラム５を回転操作することでバキューム機能とブロワ機能を切り替えることができる。
【００１７】
切替ドラム５はファン３の下側に所定距離離間した位置に配置されており、排気側の空気流路は、ファン３から切替ドラム５までの間は一本の経路であって、切替ドラム５から下流側は二本に分岐している。切替ドラム５で二本に分岐した排気側の空気流路のうち、一方は集塵用の排気口１１まで延びていて、他方はブロワ用の排気口１２まで延びている。従って、排気側の空気流路は、ファン３から切替ドラム５までの共通区間１４と、切替ドラム５から集塵用の排気口１１までの集塵区間１５と、切替ドラム５からブロワ用の排気口１２までのブロワ区間１６とから構成されている。図１〜図４は切替ドラム５を集塵側にセットした状態を示しており、ブロワ用の排気口１２へ向かうブロワ区間１６は切替ドラム５によって遮断されていて、共通区間１４を通ってきた空気流は全て集塵区間１５へと流れて集塵用の排気口１１へ向う。
【００１８】
電動バキュームは、バキューム本体１と、該バキューム本体１の取付部２０に着脱自在に取り付けられる集塵ユニット２とを備えている。図１及び図３はバキューム本体１に集塵ユニット２を取り付けた状態を示しており、図２及び図４はバキューム本体１から集塵ユニット２を取り外した状態を示している。
【００１９】
バキューム本体１は、図１〜図４のように後側から前側に向けて斜め下側に延びるノズル部２１を備えている。ノズル部２１の内部の上部にはノズル部２１に沿って吸気側の空気流路１３が直線状に形成されており、ノズル部２１の前端部の上部に吸気口１０が開口している。吸気側の空気流路１３の下側にはブロワ区間１６が吸気側の空気流路１３と並列的に延びており、ノズル部２１の前端部の下部にブロワ用の排気口１２が開口している。従って、吸気口１０とブロワ用の排気口１２は上下に並んでいる。尚、バキューム本体１は、左右二つ割り構成のハウジングが互いに接合一体化されて形成されている。
【００２０】
バキューム本体１の上部には、後側に位置するメインハンドル部２２と、その前側に位置するサブハンドル部２３を備えている。サブハンドル部２３はノズル部２１の後端部の上側に位置し、メインハンドル部２２はバキューム本体１の最後部に位置する。サブハンドル部２３とメインハンドル部２２の間の上面に、モータ４を作動、停止させるためのスイッチ２７が設けられている。
【００２１】
メインハンドル部２２の下側にモータ４が配置されている。モータ４は前後方向に延びる軸線回りに回転する。モータ４の前側にファン３が取り付けられていて、モータ４とファン３は同一線上にある。モータ４及びファン３の回転中心軸に対してノズル部２１は斜め下側に傾斜しており、ノズル部２１の後端部の後側にファン３が位置している。ファン３の回転方向は、前側から見たときにおいて反時計回りであって、ファン３が回転すると、吸気口１０から空気が吸い込まれてファン３に向かう。ファン３は、前側から来た空気を径方向外側に排出すると共に、吸気口１０から吸い込んだ落ち葉等の塵芥を粉砕して空気と共に下流に送る。
【００２２】
ファン３の周囲にはファン３の周囲を略一周分に亘って周回する空気流路が形成されている。該ファン３を周回する空気流路は、排気側の空気流路のうちの上流側の区間であって共通区間１４となっている。共通区間１４は、ファン３の下側位置において切替ドラム５に達する。切替ドラム５から下側に向けて集塵区間１５が延びていて、集塵用の排気口１１が下側に開口している。一方、切替ドラム５からブロワ区間１６が前側に向けて延びている。ブロワ区間１６は、切替ドラム５を前側に出た後にやや上側に向かい、その後、ノズル部２１に沿って前側に向けて徐々に下降している。ブロワ区間１６は、ノズル部２１の内部のうちの下部を占めている。集塵ユニット２が取り付けられる取付部２０は、バキューム本体１の下部にあって、集塵区間１５の上部の周囲に設けられている。従って、バキューム本体１の取付部２０は、集塵用の排気口１１よりも上側に位置している。
【００２３】
＜集塵ユニット２＞
集塵ユニット２は、ファン３によって粉砕された落ち葉等の塵芥を濾過して集めるためにバキューム本体１に取り付けられる。集塵ユニット２は、塵芥を溜めるための集塵袋３０と、該集塵袋３０をバキューム本体１の取付部２０に着脱自在に取り付けるための取り付けホルダ３１とを備えている。集塵袋３０の袋開口部４０が取り付けホルダ３１を介してバキューム本体１の集塵用の排気口１１に接続され、バキューム本体１の排気側の空気流路と集塵袋３０の内部とが連通した状態となり、バキューム本体１から空気と共に粉塵が集塵袋３０へと送り込まれる。
【００２４】
＜取り付けホルダ３１＞
取り付けホルダ３１は、集塵袋３０をバキューム本体１に取り付けるための部材である。集塵袋３０が取り付けホルダ３１を介してバキューム本体１に取り付けられることにより、集塵袋３０の袋開口部４０とバキューム本体１の集塵用の排気口１１とが接続されて、集塵袋３０の内部空間とバキューム本体１の空気流路とが連通する。バキューム本体１の取付部２０には取り付けホルダ３１が着脱自在に取り付けられる。取り付けホルダ３１は、図５（ａ）のように上下方向に貫通した貫通孔５５を有する筒状であって、バキューム本体１の取付部２０に下側から取り付けられる。取り付けホルダ３１は取付部２０の外側を覆った状態となり、取り付けホルダ３１の内面が取付部２０の外面と対峙する。集塵ユニット２がバキューム本体１に取り付けられた状態において、バキューム本体１の集塵区間１５は取り付けホルダ３１の内側を挿通して取り付けホルダ３１よりも下側に所定長さ突出した状態となり、集塵用の排気口１１は取り付けホルダ３１よりも下側に位置する。従って、集塵用の排気口１１は集塵袋３０の袋開口部４０よりも内側に入り込んだ状態となる。
【００２５】
取り付けホルダ３１は、上下方向を軸線とする筒状であるが、その軸線方向から見た形状は図５（ａ）のように左右方向よりも前後方向が長い形状であり、例えば前後方向を長軸とした楕円形状、前後方向に長い長円形状やトラック形状や長方形状等である。尚、バキューム本体１の取付部２０も取り付けホルダ３１に対応して前後方向に長い形状となっている。取り付けホルダ３１は前後一対のホルダ係止部５０，５１を備えていて、バキューム本体１の取付部２０は、取り付けホルダ３１のホルダ係止部５０，５１を係止するための前後一対の本体係止部２４，２５を備えている。前側のホルダ係止部５０は、バキューム本体１の前側の本体係止部２４に係止されて、取り付け、取り外しの際に回動支点となる。後側のホルダ係止部５１は後側の本体係止部２５に係止され、取り付けホルダ３１のフック５２を下側に向けて押すことによって係止状態を解除できる構成となっている。取り付けホルダ３１をバキューム本体１に着脱する際には、前側のホルダ係止部５０を前側の本体係止部２４に係止して、前側のホルダ係止部５０と前側の本体係止部２４を回動支点として取り付けホルダ３１を左右方向の軸線まわりに上下に回動させる。取り付けホルダ３１は、後側に向けて延びるホルダハンドル５３を備えており、バキューム本体１に着脱する際にそのホルダハンドル５３を把持できる。
【００２６】
集塵袋３０は取り付けホルダ３１の外面の下部に被せられるようにして取り付けられる。そのため、図５（ｂ）のように取り付けホルダ３１の外面の下部には取り付け溝５４が周設されており、該取り付け溝５４に集塵袋３０の袋開口部４０の開口縁部が外側から被せられる。
【００２７】
＜集塵袋３０＞
集塵袋３０は、上端部に袋開口部４０を有し、下端部に底部４１を有する袋形状である。集塵袋３０の単体の状態を図６に示している。集塵袋３０は、柔軟性を有する素材から袋状に形成されており、内部に溜められる塵芥の量に応じて膨出できる。集塵袋３０は、取り付けホルダ３１に取り付けられていない単体の状態であって内部に塵芥が溜まっていない空の状態においては、薄い扁平状態となっている。従って、集塵袋３０は主として表面と裏面とから構成される。そして、集塵袋３０が取り付けホルダ３１の外面に取り付けられることにより、集塵袋３０の袋開口部４０が取り付けホルダ３１によって内側から押し広げられて拡開し、その拡開状態が維持される。また、集塵袋３０の形状は、前後方向においては、袋開口部４０から一旦主として前側に大きく拡大した後、底部４１に向けて徐々に小さくなっていく。
【００２８】
袋開口部４０の開口縁部には、図６及び図７（ｂ）のように開口縁部を周回するように筒状のバンド挿通路４２が形成されている。図７（ａ）のようにバンド挿通路４２の全周のうちの一箇所は途切れていて差し込み口４２ａとして開口して外部と連通しており、その差し込み口４２ａからバンド挿通路４２の内側に図示しない締め付けバンドを挿入することができる。締め付けバンドをバンド挿通路４２に挿入し、締め付けバンドを締め付けることにより袋開口部４０を縮径できる。集塵袋３０を取り付けホルダ３１に取り付けた際に、集塵袋３０のバンド挿通路４２が取り付けホルダ３１の取り付け溝５４に位置する。その状態で締め付けバンドを締め付けて袋開口部４０を縮径させることにより、集塵袋３０のバンド挿通路４２が取り付けホルダ３１の取り付け溝５４に食い込んだ状態となって、集塵袋３０を取り付けホルダ３１に固定できる。この締め付けバンドとしては結束バンドを使用することができる。
【００２９】
集塵袋３０の周縁部にはファスナー４３によって開閉可能な廃棄口４４が設けられている。集塵袋３０に溜まった塵芥を廃棄口４４から取り出して他のゴミ袋に入れ替えて廃棄処分することができる。ファスナー４３は集塵袋３０の周縁部のうち後側の部分に設けられていて上下方向に沿って開閉する。尚、集塵袋３０において上下方向とは袋開口部４０の中心線の方向であって袋開口部４０を上側とし底部４１を下側とした方向である。集塵袋３０の周縁部の後部は後側に向かって湾曲した膨出形状となっており、その膨出形状に沿ってファスナー４３が上下に開閉する。ファスナー４３は、一つのスライダを一方にスライドさせると開き、同スライダを他方にスライドさせると閉じる、シングルスライダの構成であって、本実施形態では、スライダを下側にスライドさせることで開き、スライダを上側にスライドさせることで閉じる構成である。従って、ファスナー４３の上端部が閉じ側の端部となり、ファスナー４３の下端部が開き側の端部となっている。ファスナー４３の上端部は袋開口部４０の近傍に位置し、ファスナー４３の下端部は底部４１に位置する。特にファスナー４３の下端部は底部４１の最下部に位置していて集塵袋３０の最下部（下端部）に位置している。
【００３０】
また、集塵袋３０は、バキューム本体１のノズル部２１の下面に設けられたフック２６に引っ掛けることができるリング４５を前部に備えている。リング４５は取り付けベルト４６によって集塵袋３０の外面に取り付けられている。リング４５は種々の形状であってよく、例えばバックルを使用することができる。
【００３１】
集塵袋３０は、互いに異なる上下二つの領域を有していて、袋開口部４０に近い側の部分である筒状の胴部６０と、袋開口部４０から遠い側の部分である有底状の袋本体部６１とに区分されて構成されている。従って、胴部６０が袋開口部４０を有していて、袋本体部６１が集塵袋３０の底部４１を有している。胴部６０と袋本体部６１は同一素材から構成されていてもよいが、本実施形態では互いに異なる素材から構成されていて、胴部６０と袋本体部６１とは互いに接合されて一体化されている。即ち、胴部６０は上側に位置し、袋本体部６１は胴部６０の下側に位置していて、胴部６０の下端部と袋本体部６１の上端部とが互いに縫合されて上下に連続した一つの袋状となっている。胴部６０と袋本体部６１との接合部６２（縫合部）は、胴部６０と袋本体部６１との境界部でもあるが、その接合部６２は水平方向に沿って一直線状に形成されている。但し、接合部６２が傾斜していたり湾曲したりしてもよい。尚、接合部６２は、例えば集塵袋３０の上下方向の中央部あるいは上下方向の中央部よりも上側に位置する。
【００３２】
胴部６０は通気性を有する素材から構成されている。具体的には、胴部６０は不織布から構成されている。また、袋本体部６１は通気性を有しない素材から構成されている。具体的には、袋本体部６１は、透明な合成樹脂シートから構成されている。合成樹脂シートとしては例えばＰＶＣシートが使用できる。尚、合成樹脂シートは半透明のものであってもよく、少なくとも内部の状態を視認可能なものが好ましい。胴部６０の表面積と袋本体部６１の表面積の比は任意であるが、袋本体部６１の表面積が胴部６０の表面積よりも大きいことが好ましい。特に、胴部６０の表面積と袋本体部６１の表面積の比が４：６〜２：８であることが好ましい。
【００３３】
上述の廃棄口４４は、胴部６０と袋本体部６１との接合部６２を上下に跨いでいる。従って、廃棄口４４の上端部は胴部６０側に位置し、廃棄口４４の下端部は袋本体部６１側に位置している。但し、図８のように廃棄口４４の上端部が接合部６２に位置している構成であってもよい。また、廃棄口４４の上端部が袋本体部６１に位置していてもよく、即ち、廃棄口４４の全体が袋本体部６１に形成されていてもよい。
【００３４】
以上のように構成された電動バキュームにあっては、バキューム本体１の集塵用の排気口１１を介して塵芥が空気と共に集塵袋３０に送り込まれる。送り込まれた塵芥は袋本体部６１に溜めることができる。また、送り込まれた空気は、袋本体部６１の底部４１に向かって下側に流れていった後、袋本体部６１の底部４１において上側に反転して胴部６０へと向い、胴部６０から外部に排出される。
【００３５】
袋本体部６１が透明な合成樹脂シートから構成されているので、外部から塵芥の溜まり具合を容易に視認できる。そして、塵芥が溜まると、ファスナー４３を下側にスライドさせて廃棄口４４を開口させ、廃棄口４４から塵芥を取り出すことができる。従って、バキューム本体１から集塵ユニット２を取り外さなくても、溜まった塵芥を集塵袋３０から取り出すことができる。但し、バキューム本体１から集塵ユニット２を取り外したうえで、集塵袋３０から塵芥を取り出してもよい。
【００３６】
そして、集塵袋３０の廃棄口４４から塵芥を取り出す際、袋本体部６１は通気性を有していないため、袋本体部６１の内面に塵芥が引っ掛かりにくく、スムーズに取り出すことができる。特に、袋本体部６１が合成樹脂シートから構成されているので袋本体部６１の内面は滑面であり、塵芥が引っ掛かることがなく、細かい粉塵も容易に取り出すことができる。また、塵芥をスムーズに取り出すことができるので、従来のように集塵袋３０を叩く等して衝撃を加える必要がなく、塵芥の取り出し時に細かい粉塵が舞いにくく、良好な作業環境となる。また、袋本体部６１が合成樹脂シートから構成されているので、袋本体部６１が塵芥によって汚れにくい。しかも、袋本体部６１は汚れが外面に浮き出てこないので、使用者の服が袋本体部６１に接触しても服が汚れにくいという利点もある。また、袋本体部６１の外面も滑りやすいので、外部の枝葉にも引っ掛かりにくく、従って破れにくい。特に、合成樹脂シートとしてＰＶＣシートを用いれば、耐久性に優れていて、地面等との擦れにも強く破れにくい。また、袋本体部６１が合成樹脂シートから構成されているので、遮音性に優れており、集塵用の排気口１１から放出される騒音を抑制できる。特に、集塵用の排気口１１から出た空気が一旦袋本体部６１の底部４１に当たった後に上側に反転する構成であるので、袋本体部６１による遮音効果が大きい。
【００３７】
尚、本実施形態では胴部６０を不織布から構成したが、不織布以外の素材であってもよく、例えばメッシュ等であってもよく、通気性を有していればよい。また、胴部６０と袋本体部６１を接合した構成としたが、上下に連続した素材から胴部６０と袋本体部６１の双方を構成してもよい。例えば、通気性を有する素材のうち下部の外面や内面にコーティングを施して通気性をなくして袋本体部６１とし、上部についてはコーティングを施さずに通気性を維持して胴部６０としてもよい。
【００３８】
更に、上記実施形態ではブロワ機能を有する装置について説明したが、ブロワ機能を有さず、従って、ブロワ用の排気口１２や切替ドラム５を有していない構成であってもよい。
【符号の説明】
【００３９】
１    バキューム本体
２    集塵ユニット
３    ファン
４    モータ
５    切替ドラム
６    電源コード
１０    吸気口
１１    集塵用の排気口
１２    ブロワ用の排気口
１３    吸気側の空気流路
１４    共通区間（排気側の空気流路）
１５    集塵区間（排気側の空気流路）
１６    ブロワ区間（排気側の空気流路）
２０    取付部
２１    ノズル部
２２    メインハンドル部
２３    サブハンドル部
２４    前側の本体係止部
２５    後側の本体係止部
２６    フック
２７    スイッチ
３０    集塵袋
３１    取り付けホルダ
４０    袋開口部
４１    底部
４２    バンド挿通路
４２ａ  差し込み口
４３    ファスナー
４４    廃棄口
４５    リング
４６    取り付けベルト
５０    前側のホルダ係止部
５１    後側のホルダ係止部
５２    フック
５３    ホルダハンドル
５４    取り付け溝
５５    貫通孔
６０    胴部
６１    袋本体部
６２    接合部
【図１】
2018186926.tif 000003
【図２】
2018186926.tif 000004
【図３】
2018186926.tif 000005
【図４】
2018186926.tif 000006
【図５】
2018186926.tif 000007
【図６】
2018186926.tif 000008
【図７】
2018186926.tif 000009
【図８】
2018186926.tif 000010